(57)【特許請求の範囲】
【請求項１】
それぞれが打ち継ぎ面を介してコンクリートを打ち継いで構築される先行および後行の中空コンクリート構造体の前記それぞれのコンクリート構造体の打ち継ぎ面を止水するとともに、前記先行および後行のコンクリート構造体同士を連結する連結目地部を相対変位可能に止水するコンクリート構造体の打ち継ぎ面および連結目地部の止水継手構造であって、
前記先行および後行のコンクリート構造体の連結目地部の内面側に、可撓止水継手を取り付ける筒状の継手取付枠体を設置し、これら相対向する継手取付枠体に連結目地部を跨いで短筒状の可撓止水継手を取り付け、
前記それぞれの打ち継ぎ面には、打ち継ぎ面を挟む両側のコンクリート間に埋設して止水する打ち継ぎ止水部材を設置するとともに、この打ち継ぎ止水部材の目地部側の端部を前記継手取付枠体と連結して構成したことを特徴とする打ち継ぎ面および連結目地部の止水継手構造。
【請求項２】
前記継手取付枠体のコンクリートと接触する全周または一部にシール部材を設置し、前記打ち継ぎ止水部材の端部と前記シール部材とを連結して構成したことを特徴とする請求項１記載の打ち継ぎ面および連結目地部の止水継手構造。
【請求項３】
前記打ち継ぎ止水部材の目地部側の端部と前記継手取付枠体あるいは前記シール部材との連結を、当該継手取付枠体の全周に形成した延設部または前記打ち継ぎ止水部材と対応して前記継手取付枠体部分に形成した延設部で行う構成としたことを特徴とする請求項２記載の打ち継ぎ面および連結目地部の止水継手構造。
【請求項４】
前記打ち継ぎ止水部材の目地部側の端部と前記継手取付枠体あるいは前記シール部材との連結を、当該継手取付枠体の全周に設けた補助連結部材または前記打ち継ぎ止水部材に対応して設けた補助連結部材を介して行う構成としたことを特徴とする請求項２または３に記載の打ち継ぎ面および連結目地部の止水継手構造。
【請求項５】
前記打ち継ぎ止水部材の目地部側の端部と前記継手取付枠体あるいは前記シール部材との連結を、ブチルゴムを介して接着する、あるいはボルト・ナットで締結する、もしくはその両方を行う構成としたことを特徴とする請求項２〜４のいずれかに記載の打ち継ぎ面および連結目地部の止水継手構造。
【発明の詳細な説明】
【技術分野】
【０００１】
この発明は、打ち継ぎ面および連結目地部の止水継手構造に関し、洞道、上下水道、地下鉄、共同溝等の中空のコンクリート構造体同士の連結目地部および中空コンクリート構造体自体の打ち継ぎ面の止水性を向上できるようにしたものである。
【背景技術】
【０００２】
コンクリート構造物の施工にあたり、コンクリートを打ち継いで構築することも多く、躯体の規模、コンクリートの打設量の限度、型枠支保工にかかるコンクリート荷重などを考慮し、複数回の打ち継ぎが行われる場合もあり、例えば図１２に示すコンクリート構造物１では、各コンクリート構造体１ａ，１ｂをそれぞれ上下２箇所に打ち継ぎ面２，３を設けて打ち継いで構築するとともに、コンクリート構造体１ａ，１ｂ同士も連結目地部４を介して順次構築することが行われる。
【０００３】
このようなコンクリート構造物１では、打ち継ぎ面２,３での止水と、コンクリート構造体１ａ，１ｂ間の連結目地部４での止水および地盤の不等沈下や地震、あるいは温度変化などに伴なう相対変位を吸収できるようにする必要がある。
【０００４】
このため、例えば打ち継ぎ面３上での平面状態を示す図１３のように、水平な打ち継ぎ面３の上下のコンクリート間に垂直に帯状の打ち継ぎ止水材５を介装して打ち継ぎ面３の止水を行う。また、連結目地部４を止水するためコンクリート構造物１ａ，１ｂの連結目地部４の打ち継ぎ止水材５より外側にゴム止水板６を介装するとともに、外面側（土砂側）には、防水シート７を取り付ける。さらに、コンクリート構造物１の内面側には、相対変位の吸収と止水のため可撓止水継手８を取り付けるようにしており、互いに対向する一対のコンクリート構造物１ａ、１ｂの対向端部に形成した段差部に、筒状の枠体９をそれぞれ碇着させるとともに、ゴム・合成樹脂等の弾性体からなる短筒状に形成した可撓止水継手８の両端部を、枠体９の内周面に水密的に取り付けて地盤の不等沈下や地震などに伴なうコンクリート構造物１ａ，１ｂの相対変位を吸収させ止水を行なうようにしたものがある。なお、図中、１０は継手の外周側に介在させた目地材である（特許文献１〜３参照）。
【先行技術文献】
【特許文献】
【０００５】
【特許文献１】特公昭６３−５８９８２号公報
【特許文献２】特開平８−２８４１８６号公報
【特許文献３】特開平１０−１８３９５号公報
【発明の概要】
【発明が解決しようとする課題】
【０００６】
このようなコンクリート構造物１では、防水シート７が破断したり、剥離した場合には、連結目地部４に浸水する。この外面側から連結目地部４への浸水は、図１３（ａ）中に太い矢印で示すように、打ち継ぎ面３に沿ってゴム止水板６を迂回し、さらに打ち継ぎ止水材５に沿って連結目地部４を介して打ち継ぎ止水材５を迂回して打ち継ぎ面３に沿って浸水し、枠体９および可撓止水継手８の外側からコンクリート構造物１の内面側に至って漏水となるという問題がある。
【０００７】
また、コンクリートの打ち継ぎを行う場合、先打ちコンクリートの表面にレイタンス等雑物が付着し、これによって打ち継ぎ面におけるコンクリート同士の付着力が低下することで、打ち継ぎ面を伝う浸水の要因となるという問題があり、特に継手近傍で顕著となるという問題がある。
【０００８】
また、可撓止水継手８を取り付けるための筒状の枠体９を予め設置した状態で、コンクリートを打設してコンクリート構造物１ｂを構築する場合に、図１３（ｂ）に示すように、枠体９とコンクリートとの間に、ジャンカ、気泡跡、コンクリートの乾燥収縮を起因とする水密性の低下が危惧され、連結目地部４からの浸水が打ち継ぎ面３だけでなく、これら水密性のより悪い位置に回り、可撓止水継手８の近傍からの漏水に至るという問題がある。
【０００９】
この発明は、上記従来技術の問題点に鑑みてなされたもので、コンクリート構造物の打ち継ぎ面での止水性および連結目地部の止水性や相対変位の吸収ができるとともに、可撓止水継手を取り付ける継手取付枠体とコンクリートとの間の止水性を確保することができる打ち継ぎ面および連結目地部の止水継手構造を提供しようとするものである。
【課題を解決するための手段】
【００１０】
連結目地部および打ち継ぎ面を備えるコンクリート構造物での漏水について鋭意検討を重ねた結果、連結目地部を止水する可撓止水継手と打ち継ぎ面を止水する打ち継ぎ止水部材とが独立して設置されるため、これらの間から漏水が生じることが分かり、この発明を完成したものである。
【００１１】
すなわち、この発明では、具体的な対策として、可撓止水継手と打ち継ぎ止水部材とを連続させることで、連結目地部および打ち継ぎ面双方の止水性の確保を可能とするとともに、継手取付枠体を目地部の外側に延長し全周にブチルゴムなどのシール部材を設置することなどで、継手取付枠体のシール部材の設置範囲を広げて止水性の向上を可能としたものである。
【００１２】
上記従来技術の課題を解決するこの発明の請求項１記載の打ち継ぎ面および連結目地部の止水継手構造は、それぞれが打ち継ぎ面を介してコンクリートを打ち継いで構築される先行および後行の中空コンクリート構造体の前記それぞれのコンクリート構造体の打ち継ぎ面を止水するとともに、前記先行および後行のコンクリート構造体同士を連結する連結目地部を相対変位可能に止水するコンクリート構造体の打ち継ぎ面および連結目地部の止水継手構造であって、前記先行および後行のコンクリート構造体の連結目地部の内面側に、可撓止水継手を取り付ける筒状の継手取付枠体を設置し、これら相対向する継手取付枠体に連結目地部を跨いで短筒状の可撓止水継手を取り付け、前記それぞれの打ち継ぎ面には、打ち継ぎ面を挟む両側のコンクリート間に埋設して止水する打ち継ぎ止水部材を設置するとともに、この打ち継ぎ止水部材の目地部側の端部を前記継手取付枠体と連結して構成したことを特徴とするものである。
【００１３】
この発明の請求項２記載の打ち継ぎ面および連結目地部の止水継手構造は、請求項１記載の構成に加え、前記継手取付枠体のコンクリートと接触する全周または一部にシール部材を設置し、前記打ち継ぎ止水部材の端部と前記シール部材とを連結して構成したことを特徴とするものである。
【００１４】
この発明の請求項３記載の打ち継ぎ面および連結目地部の止水継手構造は、請求項２記載の構成に加え、前記打ち継ぎ止水部材の目地部側の端部と前記継手取付枠体あるいは前記シール部材との連結を、当該継手取付枠体の全周に形成した延設部または前記打ち継ぎ止水部材と対応して前記継手取付枠体部分に形成した延設部で行う構成としたことを特徴とするものである。
【００１５】
この発明の請求項４記載の打ち継ぎ面および連結目地部の止水継手構造は、請求項２または３に記載の構成に加え、前記打ち継ぎ止水部材の目地部側の端部と前記継手取付枠体あるいは前記シール部材との連結を、当該継手取付枠体の全周に設けた補助連結部材または前記打ち継ぎ止水部材に対応して設けた補助連結部材を介して行う構成としたことを特徴とするものである。
【００１６】
この発明の請求項５記載の打ち継ぎ面および連結目地部の止水継手構造は、請求項２〜４のいずれかに記載の構成に加え、前記打ち継ぎ止水部材の目地部側の端部と前記継手取付枠体あるいは前記シール部材との連結を、ブチルゴムを介して接着する、あるいはボルト・ナットで締結する、もしくはその両方を行う構成としたことを特徴とするものである。
【発明の効果】
【００１７】
この発明の請求項１記載の打ち継ぎ面および連結目地部の止水継手構造によれば、それぞれが打ち継ぎ面を介してコンクリートを打ち継いで構築される先行および後行の中空コンクリート構造体の前記それぞれのコンクリート構造体の打ち継ぎ面を止水するとともに、前記先行および後行のコンクリート構造体同士を連結する連結目地部を相対変位可能に止水するコンクリート構造体の打ち継ぎ面および連結目地部の止水継手構造であって、前記先行および後行のコンクリート構造体の連結目地部の内面側に、可撓止水継手を取り付ける筒状の継手取付枠体を設置し、これら相対向する継手取付枠体に連結目地部を跨いで短筒状の可撓止水継手を取り付け、前記それぞれの打ち継ぎ面には、打ち継ぎ面を挟む両側のコンクリート間に埋設して止水する打ち継ぎ止水部材を設置するとともに、この打ち継ぎ止水部材の目地部側の端部を前記継手取付枠体と連結して構成したので、打ち継ぎ止水部材の目地部側の端部と継手取付枠体と連結することで、可撓止水継手と打ち継ぎ止水部材とを連続させることができ、全ての止水のための部材が連続することになって止水性の向上をはかることができる。また、コンクリートの打ち継ぎを行う場合、先打ちコンクリートの表面にレイタンス等雑物が付着し、これによって打ち継ぎ面におけるコンクリート同士の付着力が低下するようなことがあっても、可撓止水継手と打ち継ぎ止水部材とが連続することで、打ち継ぎ面を伝う浸水を防止することができる。
【００１８】
これより、コンクリート構造物での全ての止水に用いる部材が連続し、打ち継ぎ面での止水性および連結目地部の止水性や相対変位の吸収を確保することができる。
【００１９】
また、この発明の請求項２記載の打ち継ぎ面および連結目地部の止水継手構造によれば、前記継手取付枠体のコンクリートと接触する全周または一部にシール部材を設置し、前記打ち継ぎ止水部材の端部と前記シール部材とを連結して構成したので、継手取付枠体の全周または一部にシール部材を設置し、打ち継ぎ止水部材の端部とシール部材とを連結することで、継手取付枠体とコンクリートとの止水生を向上できるとともに、全ての止水のための部材であるシール部材と可撓止水継手と打ち継ぎ止水部材とを連続させることで、一層確実に止水性を向上することができる。
【００２０】
また、この発明の請求項３記載の打ち継ぎ面および連結目地部の止水継手構造によれば、前記打ち継ぎ止水部材の目地部側の端部と前記継手取付枠体あるいは前記シール部材との連結を、当該継手取付枠体の全周に形成した延設部または前記打ち継ぎ止水部材と対応して前記継手取付枠体部分に形成した延設部で行う構成としたので、継手取付枠体の全周に形成した延設部にシール部材を設置することで、シール部材の設置が容易になるとともに、設置範囲を広げたシール部材と可撓止水継手と打ち継ぎ止水部材とを連続させることができ、また、打ち継ぎ止水部材と対応する継手取付枠体部分に形成した延設部でシール部材と可撓止水継手と打ち継ぎ止水部材とを連続させることで、確実に全ての止水のための部材であるシール部材と可撓止水継手と打ち継ぎ止水部材とを連続させることができる。
【００２１】
この発明の請求項４記載の打ち継ぎ面および連結目地部の止水継手構造によれば、前記打ち継ぎ止水部材の目地部側の端部と前記継手取付枠体あるいは前記シール部材との連結を、当該継手取付枠体の全周に設けた補助連結部材または前記打ち継ぎ止水部材に対応して設けた補助連結部材を介して行う構成としたので、継手取付枠体の全周に設けた別体の補助連結部材を介してシール部材を設置することで、シール部材の設置が容易になるとともに、設置範囲を広げたシール部材と可撓止水継手と打ち継ぎ止水部材とを連続させることができ、また、打ち継ぎ止水部材に対応して設けた補助連結部材を介してシール部材と可撓止水継手と打ち継ぎ止水部材とを連続させることで、確実に全ての止水のための部材であるシール部材と打ち継ぎ止水部材とを連続させることができる。
【００２２】
この発明の請求項５記載の打ち継ぎ面および連結目地部の止水継手構造によれば、前記打ち継ぎ止水部材の目地部側の端部と前記継手取付枠体あるいは前記シール部材との連結を、ブチルゴムを介して接着する、あるいはボルト・ナットで締結する、もしくはその両方を行う構成としたので、打ち継ぎ止水部材の目地部側の端部と継手取付枠体のシール部材との連結をブチルゴムによる接着やボルト・ナットによる締結もしくこれらの両方で止水性を確保して確実に連結することができる。
【図面の簡単な説明】
【００２３】
【図１】この発明の打ち継ぎ面および連結目地部の止水継手構造の一実施の形態にかかる止水のための部材のみを抽出してモデル化した説明図および打ち継ぎ面上での平面図である。
【図２】この発明の打ち継ぎ面および連結目地部の止水継手構造の一実施の形態にかかる施工工程の説明図である。
【図３】この発明の打ち継ぎ面および連結目地部の止水継手構造の一実施の形態にかかる継手取付枠体と打ち継ぎ止水部材の概略構成図である。
【図４】この発明の打ち継ぎ面および連結目地部の止水継手構造の他の一実施の形態にかかる継手取付枠体と打ち継ぎ止水部材の概略構成図である。
【図５】この発明の打ち継ぎ面および連結目地部の止水継手構造の一実施の形態にかかる継手取付枠体と打ち継ぎ止水部材の部分拡大構成図である。
【図６】この発明の打ち継ぎ面および連結目地部の止水継手構造の一実施の形態にかかる継手取付枠体と打ち継ぎ止水部材の部分拡大構成図および打ち継ぎ面上での平面図である。
【図７】この発明の打ち継ぎ面および連結目地部の止水継手構造の他の一実施の形態にかかる継手取付枠体と打ち継ぎ止水部材の部分拡大構成図および打ち継ぎ面上での平面図である。
【図８】この発明の打ち継ぎ面および連結目地部の止水継手構造のさらに他の一実施の形態にかかる部分拡大構成図である。
【図９】この発明の打ち継ぎ面および連結目地部の止水継手構造の他の一実施の形態にかかる部分拡大構成図である。
【図１０】この発明の打ち継ぎ面および連結目地部の止水継手構造の一実施の形態にかかる継手取付枠体と打ち継ぎ止水部材の部分拡大構成図である。
【図１１】この発明の打ち継ぎ面および連結目地部の止水継手構造の他の一実施の形態にかかる継手取付枠体と打ち継ぎ止水部材の部分拡大構成図および打ち継ぎ面上での平面図である。
【図１２】この発明の打ち継ぎ面および連結目地部の止水継手構造が適用されるコンクリート構造物の一例の概略斜視図である。
【図１３】従来の打ち継ぎ面および連結目地部の止水継手構造の打ち継ぎ面上での平面図および部分拡大図である。
【発明を実施するための形態】
【００２４】
以下、この発明を実施するための形態について図面を参照して詳細に説明する。  
この発明の打ち継ぎ面および連結目地部の止水継手構造が適用されるコンクリート構造物は、例えばボックスカルバート型の暗渠で、コンクリート構造物に打ち継ぎ面が少なくとも１箇所設けられるものであり、ここでは、図１１で説明した水平の打ち継ぎ面３が１箇所だけ設けられる場合を例に説明する。
【００２５】
この打ち継ぎ面および連結目地部の止水継手構造２０では、基本原理としてコンクリート構造物１の先行のコンクリート構造物１ａと後行のコンクリート構造物１ｂとの連結目地部４間を相対変位可能に連結して止水する可撓止水継手８と、先行および後行の各コンクリート構造物１ａ，１ｂの打ち継ぎ面３を止水する打ち継ぎ止水部材５，５とを止水構造的に連続させることで、連結目地部４および打ち継ぎ面３双方の止水性を確保しようとするものである。
【００２６】
さらに、この打ち継ぎ面および連結目地部の止水継手構造２０では、可撓止水継手８を取り付けるための継手取付枠体９のコンクリート側の全周にシール部材１１を設置し、このシール部材１１と可撓止水継手８と打ち継ぎ止水部材５,５とを連結することで、継手取付枠部材９とコンクリートとの間の止水性を向上するようにしており、シール部材１１の取り付けのため継手取付枠体９をコンクリート構造物１の外側に延長し、延設部にシール部材１１として、例えばブチルゴムシートを設置している。
【００２７】
こうすることで、コンクリート構造物１の打ち継ぎ面３で構造物１の外側の防水シート７が破損したり、剥離した場合でも、外面側から連結目地部４への浸水は、図１（ｂ）中に太い矢印で示すように、打ち継ぎ面３に沿ってゴム止水板６を迂回し、さらに打ち継ぎ止水材５に沿って連結目地部４に漏水しても、打ち継ぎ止水部材５と継手取付枠体９のシール部材１１と可撓止水継手８とが連結してあるので、連結目地部４側からコンクリート内に浸水することが防止され、コンクリート構造物１の内面側に至って漏水となることを防止でき、止水性を向上することができる。
【００２８】
また、可撓止水継手８を取り付けるための筒状の継手取付枠体９を予め設置した状態で、コンクリートを打設してコンクリート構造物１ａ，１ｂを構築する場合に、継手取付枠体９とコンクリートとの間に、ジャンカ、気泡跡、コンクリートの乾燥収縮を起因とする水密性の低下が生じたとしても、連結目地部４からの浸水がコンクリートの水密性のより悪い位置に回り、可撓止水継手８の近傍からの漏水に至ることも防止でき，止水性を向上することができる。
【００２９】
次に、この打ち継ぎ面および連結目地部の止水継手構造２０を適用したコンクリート構造物１の構築工程について、図２により説明する。
【００３０】
コンクリート構造物１を構築する地下底面に基礎２１を通常のボックスカルバート型の暗渠の場合と同様に構築し、基礎２１上に先行コンクリート構造物１ａを構築するための型枠や補強用の鉄筋２２を設置するとともに、後行コンクリート構造物１ｂとの連結目地部４に可撓止水継手８を取り付けるための継手取付枠体９，９を設置する。これら継手取付枠体９，９には、予め可撓止水継手８をアンカー２３を介して取り付けた状態としておいても、アンカー２３だけとしてコンクリート打設完了後に可撓止水継手８を取り付けるようにすることもでき、継手取付枠体９も片方ずつ設置してコンクリート構造物１ａ、１ｂに固定することもできる。
【００３１】
この継手取付枠体９には、コンクリートと接する側の全周にコンクリートとの止水性を確保するシール部材１１としてブチルゴムシートが取り付けられる。
【００３２】
この継手取付枠体９へのシール部材１１の取り付けは、コンクリート構造物１ａの連結目地部４の端面に沿うフランジ面９ａ（図１参照）に取り付けるが、既に説明したように、このシール部材１１と打ち継ぎ止水部材５とを連結する必要があることから、図２および図３に示すように、打ち継ぎ止水部材５の設置位置と対応する継手取付枠体９の下隅部に延設部２４を設けてシール部材１１を取り付けてある。
【００３３】
なお、コンクリート構造物１に２箇所の打ち継ぎ面２,３を設けてコンクリート構造物１ａ，１ｂを構築する場合には、図４に示すように、継手取付枠体９の両側部および上下隅部に連続する側部延設部２５を設けてシール材１１を設置して上下２箇所の打ち継ぎ面２,３で打ち継ぎ止水部材５と連結できるようにする。さらに、継手取付枠体９の全周に延設部を設けて全周延設部としてシール部材１１を設置するようにしても良い。これら側部延設部２５や全周延設部を設ける場合には、打ち継ぎ面２,３の位置が変わる場合にも何ら変更することなくそのままで対応することができる。
【００３４】
さらに、この打ち継ぎ面３には、図５に示すように、打ち継ぎ面３の上下に埋設されるように打ち継ぎ止水部材５を鉄筋２２およびアンカー２３を利用して固定糸２６を用いるなどで下半分が打ち継ぎ面３の下側に、上半分が打ち継ぎ面３の上側に埋設される状態とする。この打ち継ぎ止水部材５は帯状のものがロール状に丸めて搬入され、これを巻戻して設置する。
【００３５】
そして、この打ち継ぎ止水部材５は、例えば、その連結目地部４側の端部５ａをＬ字状に曲げて継手取付枠体９のシール部材１１とブチルゴム２７を介して接着することで連結されて設置される。この打ち継ぎ止水部材５の端部５ａと継手取付枠体５のシール材１１との接着を強固にするため、例えば図６に示すように、据付治具２８を用い、両端部の断面コ字状の締付ボルト２８ａを備えた２つのクランプ部２８ｂ，２８ｂと押え板２８ｃとで構成し、打ち継ぎ止水部材５の端部５ａをシール部材１１に当て、その上に押え板２８ｃを当てて継手取付枠体９とともに、クランプ部２８ｂ，２８ｂを挟むようにした後、締付ボルト２８ａを締め付けた状態を保持することで、接着強度を向上して連結することができる。接着完了後は、据付治具２８を取り外してコンクリートの打設を行うこともできる。
【００３６】
なお、打ち継ぎ止水部材５の端部５ａと継手取付枠体９のシール部材１１との連結は、ブチルゴムを介して接着する場合に限らず、他の方法でも良く、例えば図７に示すように、継手取付枠体９にボルト・ナット２９を用いて締結するようにしても良い。この場合には、相対向する継手取付枠体９，９間にボルト・ナット２９による締結スペースを確保できるように、継手取付枠体９のフランジ部９ａを連結目地部４に対して引っ込んだ状態となるよう成形しておくことで、作業性を向上することができる。
【００３７】
また、打ち継ぎ面３に用いる打ち継ぎ止水部材５によっては、端部をＬ字状に曲げて設置することが困難な場合もあるが、その場合には、図８および図９に示すように、補助連結部材３０,３１を用いて打ち継ぎ止水部材５と継手取付枠体９のシール部材１１との連結を行う。例えば図８に示す補助連結部材３０では、Ｌ字状の金属材で構成され、補助連結部材３０の一方３０ａが継手取付枠体９の延設部２４に設置したシール部材１１に接着され、他方３０ｂの外側面に打ち継ぎ止水部材５が接着して設置される。
【００３８】
また、図９に示す補助連結部材３１では、Ｌ字状の金属材で構成され、補助連結部材３１の一方３１ａが継手取付枠体９の延設部２４に設置したシール部材１１に接着され、他方３１ｂの内側面に打ち継ぎ止水部材５が当てられて押え板３１ｃを介してボルトナット３１ｄで締め付けることで設置され、補助連結部材３１の他方３１ｂの外側面には、ブチルゴム３１ｅを貼り付けて水道を遮断するようにしてある。
【００３９】
さらに、他の補助連結部材３２を用いる打ち継ぎ止水部材５の端部５ａと継手取付枠体９のシール部材１１との連結方法として、図１０に示すように、継手取付枠体９に延設部を設けることなく、補助連結部材３２に、継手取付枠部材の下隅部の略３角形部分位置する延設部分３２ａを形成するとともに、Ｌ字状の補助連結部３２ｂ，３２ｃが形成され、図１０（ｂ）に示すように、延設部分３２ａを継手取付枠部材９のアンカー２３に締め付けて固定してシール部材１１と連結状態とする。そして、補助連結部３２ｃの外側に打ち継ぎ止水部材５の端部を当ててボルトナット３２ｄで締め付けて連結固定してある。
【００４０】
このような継手取付枠体９の延設部に対応する部分を補助連結部材３２に延設部分３２ａとして形成したので、従来の継手取付枠体９の形状を変えることなく、打ち継ぎ止水部材５の端部５ａと継手取付枠体９のシール部材１１との連結を行うことができる。
【００４１】
また、他の補助連結部材３３を用いる打ち継ぎ止水部材５の端部５ａと継手取付枠体９のシール部材１１との連結方法として、図１１に示すように、継手取付枠体９に延設部を設けることなく、補助連結部材３３に、継手取付枠部材の下隅部の略３角形部分位置する延設部分３３ａを形成するとともに、Ｌ字状の補助連結部３３ｂ，３３ｃを形成して構成し、継手取付枠部材９の下隅部に溶接あるいはブチルゴムで接着することで固定設置するようにして補助連結部材３３とシール部材１１とを連結状態とする。そして、補助連結部３３ｃの外側に打ち継ぎ止水部材５の端部を当ててブチルゴムシートを用いて連結固定したり、図示しないボルトナットで締め付けて連結固定したり、あるいは、これらの両方を用いて連結固定する。
【００４２】
このような継手取付枠体９の延設部に対応する部分を補助連結部材３３に延設部分３３ａとして形成して溶接あるいはブチルゴムで接着してあるので、従来の継手取付枠体９の形状を変えることなく、打ち継ぎ止水部材５の端部５ａと継手取付枠体９のシール部材１１との連結を行うことができる。
【００４３】
このように第１工程としての打ち継ぎ止水部材５の設置、継手取付枠体９の設置およびシール部材１１の設置、さらに打ち継ぎ止水部材５とシール部材１１との連結を行った後、さらに連結目地部４に、図１（ｂ）に示すように、先行および後行のコンクリート間に跨るようにゴムの止水板６を設置しておく。
【００４４】
こうしてコンクリートの打設前の準備が完了した後、基礎２１上に打ち継ぎ面３までのコンクリートの打設が行われる（図２（ｂ）参照）。
【００４５】
この後、打ち継ぎ面３上に型枠などを設置してコンクリートの打設準備を行った後、打ち継ぎ面３を介した上部のコンクリートの打設を行い先行のコンクリート構造物１ａが構築される（図２（ｃ）参照）。
【００４６】
後行のコンクリート構造物１ｂについても先行のコンクリート構造物１ａと同様に構築することを繰り返すことで、コンクリート構造物１が完成する。
【００４７】
以上、具体的に説明したように、この打ち継ぎ面および連結目地部の止水継手構造２０によれば、打ち継ぎ止水部材５の目地部側の端部５ａと継手取付枠体９と連結することで、可撓止水継手８と打ち継ぎ止水部材５とを連続させることができ、連結目地部４および打ち継ぎ面３双方の止水性を確保することができ、全ての止水のための部材５，８が連続することになって止水性の向上をはかることができる。
【００４８】
また、コンクリートの打ち継ぎを行う場合、先打ちコンクリートの表面にレイタンス等雑物が付着し、これによって打ち継ぎ面におけるコンクリート同士の付着力が低下するようなことがあっても、可撓止水継手８と打ち継ぎ止水部材５とが連続することで、打ち継ぎ面３を伝う浸水を防止することができる。
【００４９】
これより、コンクリート構造物１での全ての止水に用いる部材５，８，１１が連続し、打ち継ぎ面３での止水性および連結目地部４の止水性や相対変位の吸収を確保することができる。
【００５０】
さらに、この打ち継ぎ面および連結目地部の止水継手構造によれば、継手取付枠体９のコンクリートと接触する全周または一部にシール部材１１を設置し、打ち継ぎ止水部材５の端部とシール部材１１とを連結して構成したので、継手取付枠体９の全周または一部にシール部材１１を設置し、打ち継ぎ止水部材５の端部５ａとシール部材１１とを連結することで、継手取付枠体９とコンクリートとの止水生を向上できるとともに、全ての止水のための部材であるシール部材１１と可撓止水継手８と打ち継ぎ止水部材５とを連続させることで、一層確実に止水性を向上することができる。
【００５１】
また、この打ち継ぎ面および連結目地部の止水継手構造２０によれば、打ち継ぎ止水部材５の目地部側の端部５ａと継手取付枠体９あるいはシール部材１１との連結を、継手取付枠体９の全周に形成した延設部または打ち継ぎ止水部材５と対応して継手取付枠体部分に形成した延設部９ａで行うようにしたので、継手取付枠体９の全周に形成した延設部にシール部材を設置することで、シール部材１１の設置が容易になるとともに、設置範囲を広げたシール部材１１と可撓止水継手８と打ち継ぎ止水部材５とを連続させることができ、また、打ち継ぎ止水部材５と対応する継手取付枠体９部分に形成した延設部９ａでシール部材１１と可撓止水継手８と打ち継ぎ止水部材５とを連続させることで、確実に全ての止水のための部材であるシール部材１１と可撓止水継手８と打ち継ぎ止水部材５とを連続させることができる。
【００５２】
さらに、この打ち継ぎ面および連結目地部の止水継手構造２０によれば、打ち継ぎ止水部材５の目地部側の端部５ａと継手取付枠体９あるいはシール部材１１との連結を、継手取付枠体９の全周に設けた補助連結部材または打ち継ぎ止水部材５に対応して設けた補助連結部材３０，３１，３２，３３を介して行うようにしたので、継手取付枠体の全周に設けた別体の補助連結部材を介してシール部材を設置することで、シール部材の設置が容易になるとともに、設置範囲を広げたシール部材と可撓止水継手と打ち継ぎ止水部材とを連続させることができ、また、打ち継ぎ止水部材５に対応して設けた補助連結部材３０，３１，３２，３３を介してシール部材１１と可撓止水継手８と打ち継ぎ止水部材５とを連続させることで、確実に全ての止水のための部材であるシール部材１１と可撓止水継手８と打ち継ぎ止水部材５とを連続させることができる。
【００５３】
また、この打ち継ぎ面および連結目地部の止水継手構造２０によれば、打ち継ぎ止水部材５の目地部側の端部５ａと継手取付枠体９あるいはシール部材１１との連結を、ブチルゴムを介して接着する、あるいはボルト・ナット３１ｄで締結する、もしくは両方で行うようにしたので、打ち継ぎ止水部材５の目地部側の端部５ａと継手取付枠体９のシール部材１１との連結をブチルゴムによる接着やボルト・ナットによる締結、あるいは両方で止水性を確保して確実に連結することができる。
【００５４】
なお、上記実施の形態では、コンクリート構造物としてボックスカルバート型の暗渠を例に説明したが、これに限らず他の中空のコンクリート構造物であっても同様に適用でき、コンクリート構造物の断面形状も略矩形のものに限らず他の形状であっても良い。
【００５５】
また、連結目地部を相対変位可能にシールする可撓止水継手として中間部に断面略Ｕ字状の伸縮部を備えたものを例に説明したが、他の断面形状の伸縮部を備えた可撓性継手であっても良く、相対変位の吸収と止水とが可能であれば良い。
【符号の説明】
【００５６】
１ コンクリート構造物
１ａ 先行コンクリート構造物
１ｂ 後行コンクリート構造物
２，３ 打ち継ぎ面
４ 連結目地部
５ 打ち継ぎ止水部材
５ａ 目地部側の端部
６ 止水板
７ 防水シート
８ 可撓止水継手
９ 継手取付枠体
９ａ フランジ面
１０ 目地材
１１ シール部材
２０ 打ち継ぎ面および連結目地部の止水継手構造
２１ 基礎
２２ 鉄筋
２３ アンカー
２４ 延設部
２５ 側部延設部
２６ 固定糸
２７ ブチルゴム
２８ 据付治具
２８ａ 締付ボルト
２８ｂ クランプ部
２８ｃ 押え板
２９ ボルト・ナット
３０ 補助連結部材
３０ａ 一方の辺
３０ｂ 他方の辺
３１ 補助連結部材
３１ａ 一方の辺
３１ｂ 他方の辺
３１ｃ 押え板
３１ｄ ボルトナット
３１ｅ ブチルゴム
３２ 補助連結部材
３２ａ 延設部分
３２ｂ 補助連結部
３２ｃ 補助連結部
３２ｄ ボルトナット
３３ 補助連結部材
３３ａ 延設部分
３３ｂ 補助連結部
３３ｃ 補助連結部
【図１】
0005407045.tif 000002
【図２】
0005407045.tif 000003
【図３】
0005407045.tif 000004
【図４】
0005407045.tif 000005
【図５】
0005407045.tif 000006
【図６】
0005407045.tif 000007
【図７】
0005407045.tif 000008
【図８】
0005407045.tif 000009
【図９】
0005407045.tif 000010
【図１０】
0005407045.tif 000011
【図１１】
0005407045.tif 000012
【図１２】
0005407045.tif 000013
【図１３】
0005407045.tif 000014